(57)【要約】      （修正有）【課題】むらなく均一に発光できるコンピュータ周辺装置を提供する。【解決手段】反射装置３０が透光性を有するケース体内に設置されており、前記反射装置３０は反射面を有しており、前記反射面は滑らかな平面か、或いは上部に散光作用を有する凹凸構造を緊密に分布させる形態にすることができ、周辺装置内の発光装置が光線を反射装置３０の上部に投射する時、前記反射面の反射作用と導光作用とによって、前記周辺装置のケース体表面はむらなく均一な発光状態を呈することができる。【選択図】図１
0003108946.tif 000002
【実用新案登録請求の範囲】
【請求項１】
ケース体によって構成されており、
前記ケース体内には、電子回路装置と、発光装置と、前記発光装置の一方の側辺に設置されている反射装置とが設けられており、
前記反射装置は、反射底板を有しており、前記発光装置から放出される光線を前記ケース体の内表面に反射させ、
上記構造により、前記発光装置が光線を放出した後、前記反射装置が光線を反射させることによって、ケース体の内表面をむらなく均一に発光させることができることを特徴とするむらなく均一に発光できるコンピュータ周辺装置。
【請求項２】
前記発光装置は、少なくとも一つの光源と、少なくとも一つの透光性を有する導光管とによって構成されており、前記導光管は前記光源上に嵌設されていることを特徴とする請求項１記載のむらなく均一に発光できるコンピュータ周辺装置。
【請求項３】
前記ケース体は、上部ケース体と、下部ケース体とが結合して構成されており、前記反射装置は、前記下部ケース体上に設置されていることを特徴とする請求項１記載のむらなく均一に発光できるコンピュータ周辺装置。
【請求項４】
前記上部ケース体は、透明、或いは半透明とすることができることを特徴とする請求項３記載のむらなく均一に発光できるコンピュータ周辺装置。
【請求項５】
前記上部ケース体上は、前方から後方に伸びる凸縁部を有しており、前記凸縁部は透明、或いは半透明とすることができることを特徴とする請求項３記載のむらなく均一に発光できるコンピュータ周辺装置。
【請求項６】
コンピュータの入力装置であり、ケース体上は押圧板を有しており、前記押圧板は少なくとも一つの押圧部を有しており、それがケース体内に設置されている微動スイッチを起動することを特徴とする請求項１記載のむらなく均一に発光できるコンピュータ周辺装置。
【請求項７】
前記押圧板は、透明、或いは半透明、或いは不透明とすることができることを特徴とする請求項６記載のむらなく均一に発光できるコンピュータ周辺装置。
【請求項８】
前記反射装置は、底板の周縁を一周する側壁を有していることを特徴とする請求項１記載のむらなく均一に発光できるコンピュータ周辺装置。
【請求項９】
前記底板は、滑らかな反射面であることを特徴とする請求項１記載のむらなく均一に発光できるコンピュータ周辺装置。
【請求項１０】
前記底板は、複数の凹凸を有する反射面を有することを特徴とする請求項８記載のむらなく均一に発光できるコンピュータ周辺装置。
【請求項１１】
前記周辺装置は、コンピュータの入力装置であり、前記凸縁部の前端は露出孔を有しており、透光性を有するホイールが収容されていることを特徴とする請求項５記載のむらなく均一に発光できるコンピュータ周辺装置。
【請求項１２】
前記下部ケース体は、右側板と、左側板とによって構成されており、前記右側板と左側板は透光性を有することを特徴とする請求項３記載のむらなく均一に発光できるコンピュータ周辺装置。
【考案の詳細な説明】
【技術分野】
【０００１】
本考案はコンピュータ周辺装置に係り、特にむらなく均一に発光できるコンピュータ周辺装置に関わる。
【背景技術】
【０００２】
よく使用されるコンピュータ周辺装置としては、マウス、トラックボール、キーボード等のコンピュータ入力装置や無線信号受信機、ハブ、カードリーダー等の装置があり、それらは技術がすでに成熟した製品であり、付加される機能はあまり顕著ではない改良であり、現段階での改良は外観の改良であり、入力装置の美観性を高めて市場における競争力を高めている。
【０００３】
よく使用されるコンピュータ入力装置を例とすると、デザインや色を変える以外に最もよく見られるのは光源を利用して入力装置内部から投射を行い、入力装置の透明なケース体を発光させる形態のものがあり、一般に光源としてＬＥＤ（発光ダイオード）が多く採用されているが、ＬＥＤの光線投射面積には制限があり、発光効果を完全にケース体の特定部分に集中させてしまっており、複数のＬＥＤを配置してその問題を解決しようとした場合においてもむらなく均一に発光させる効果を達成することはできない。この他、複数のＬＥＤを利用する方式は、入力装置内部の空間を占拠する以外に、使用者がまぶしく感じたり、消費電力が多くなる問題が容易に発生し、更には大きな熱が発生し、入力装置内部の素子が破損する恐れもある。
【考案の開示】
【考案が解決しようとする課題】
【０００４】
上記公知構造の欠点を解決するために、本考案の主な目的は、むらなく均一に発光できるコンピュータ周辺装置を提供することであり、それによりむらなく均一に発光する効果を達成する。
【課題を解決するための手段】
【０００５】
前記課題を解決するために、
請求項１の考案は、ケース体によって構成されており、
前記ケース体内には、電子回路装置と、発光装置と、前記発光装置の一方の側辺に設置されている反射装置とが設けられており、
前記反射装置は、反射底板を有しており、前記発光装置から放出される光線を前記ケース体の内表面に反射させ、
上記構造により、前記発光装置が光線を放出した後、前記反射装置が光線を反射させることによって、ケース体の内表面をむらなく均一に発光させることができることを特徴とするむらなく均一に発光できるコンピュータ周辺装置である。
【０００６】
請求項２の考案は、前記発光装置は、少なくとも一つの光源と、少なくとも一つの透光性を有する導光管とによって構成されており、前記導光管は前記光源上に嵌設されていることを特徴とする請求項１記載のむらなく均一に発光できるコンピュータ周辺装置である。
【０００７】
請求項３の考案は、前記ケース体は、上部ケース体と、下部ケース体とが結合して構成されており、前記反射装置は、前記下部ケース体上に設置されていることを特徴とする請求項１記載のむらなく均一に発光できるコンピュータ周辺装置である。
【０００８】
請求項４の考案は、前記上部ケース体は、透明、或いは半透明とすることができることを特徴とする請求項３記載のむらなく均一に発光できるコンピュータ周辺装置である。
【０００９】
請求項５の考案は、前記上部ケース体上は、前方から後方に伸びる凸縁部を有しており、前記凸縁部は透明、或いは半透明とすることができることを特徴とする請求項３記載のむらなく均一に発光できるコンピュータ周辺装置である。
【００１０】
請求項６の考案は、コンピュータの入力装置であり、ケース体上は押圧板を有しており、前記押圧板は少なくとも一つの押圧部を有しており、それがケース体内に設置されている微動スイッチを起動することを特徴とする請求項１記載のむらなく均一に発光できるコンピュータ周辺装置である。
【００１１】
請求項７の考案は、前記押圧板は、透明、或いは半透明、或いは不透明とすることができることを特徴とする請求項６記載のむらなく均一に発光できるコンピュータ周辺装置である。
【００１２】
請求項８の考案は、前記反射装置は、底板の周縁を一周する側壁を有していることを特徴とする請求項１記載のむらなく均一に発光できるコンピュータ周辺装置である。
【００１３】
請求項９の考案は、前記底板は、滑らかな反射面であることを特徴とする請求項１記載のむらなく均一に発光できるコンピュータ周辺装置である。
【００１４】
請求項１０の考案は、前記底板は、複数の凹凸を有する反射面を有することを特徴とする請求項８記載のむらなく均一に発光できるコンピュータ周辺装置である。
【００１５】
請求項１１の考案は、前記周辺装置は、コンピュータの入力装置であり、前記凸縁部の前端は露出孔を有しており、透光性を有するホイールが収容されていることを特徴とする請求項５記載のむらなく均一に発光できるコンピュータ周辺装置である。
【００１６】
請求項１２の考案は、前記下部ケース体は、右側板と、左側板とによって構成されており、前記右側板と左側板は透光性を有することを特徴とする請求項３記載のむらなく均一に発光できるコンピュータ周辺装置である。
【考案の効果】
【００１７】
本考案の主旨は、反射装置を利用することにより光源からの光線の投射方向を変化させ、ケース体の透光効果を変化させることにあり、光源を設置した部分だけに局部的に光が集中するのではなく、特に本考案の第一の好適な実施形態における、前記底板に鍍金処理を行うだけでなく、さらに導光管を利用して光源からの光線の投射区域を分散させ、底板に凸紋構造を形成した構造により、光線を前記底板に投射させた後、光が分散する反射効果を形成し、前記底板は光が発散する発光区域となり、前記ケース体を通じて見た時、前記ケース体はむらなく均一に発光する効果を呈することができる。
【考案を実施するための最良の形態】
【００１８】
図１は本考案による第一の好適な実施形態が提供するむらなく均一に発光するコンピュータ周辺装置であり、コンピュータ周辺装置としてはマウス、トラックボール、キーボード、無線信号受信器、カードリーダー、ハブ等が挙げられるが、本明細書においてはマウスを例として説明を行う。前記コンピュータ周辺装置は、ケース体１０によって構成されており、前記ケース体１０は、上部ケース体１１と、下部ケース体１２と、押圧板１３とが結合して構成されており、前記上部ケース体１１、下部ケース体１２の間には収容空間が形成されており、前記押圧板１３は前記上部ケース体１１上に設置されている。前記上部ケース体１１、下部ケース体１２、押圧板１３は実際の状況によって、透明、非透明、或いは一部透明の材料を組み合わせて構成することができ、さらにスモーク処理を加え、特殊な透光効果を達成することができる。押圧板１３であれ、上部ケース体１２であれ、本技術に熟知する者は各種のスプレーや彫刻の方式によって、その表面に各種の文字や図柄を形成することができ、それにより、部分的に透光させる効果を呈することができる（米国特許ＵＳ６５４７４２０内の関連技術を参照）。電子回路装置は、回路板２１によって構成されており、前記回路板２１上には、ホイール２２と、二つの微動スイッチ２３と、座標検知ユニット２４と、処理ユニット２５とが設置されており、前記電子回路装置はすでに成熟した技術であり、本考案の技術特徴を呈するものではないので、本明細書においては説明しない。反射装置３０は、底板３１と、底板３１を一周する側壁３２とによって構成されており、前記底板３１の上部表面は鍍金処理により反射効果を有する反射面が形成されており、発光装置４０は前記底板３１上に設置されており、前記底板３１の反射効果によって光線分布を変化させる。
【００１９】
前記上部ケース体１１上は、前方に伸びる凸縁部１１１を有しており、前記凸縁部１１１の前段は露出孔１１２を有しており、それによってホイール２２は外部に露出しており、前記凸縁部１１１は透明でスモーク処理はされておらず、材料の光の屈折効果による導光作用を有しており、前記凸縁部１１１の前段の両側面はそれぞれ溝孔１１３を有しており、前記各溝孔１１３は予め定められた幅と高さを有しており、前記凸縁部１１１の両側はそれぞれ環状の切溝を有しており、後方から前方へ弾性端部が形成されており、それが懸置状態の押圧部１１４となっている。前記押圧部１１４の前端は、上向きに突出した凸塊１１４ａと下向きに突出した押圧柱（図なし）を有しており、前記押圧部１１４は対応する微動スイッチ２３の押圧に用いられる。
【００２０】
前記押圧板１３は、前記上部ケース体１１の頂面に設置されており、前記押圧板１３は湾曲面を有する滑らかな薄板片であり、ちょうど上部ケース体１１の頂面と重なり合い、前記押圧板１３は二つのお互いに平行な押圧部１３１を有しており、それぞれ前記凸縁部１１１の両側に位置しており、前記二つの押圧部１１４の凸塊１１４ａへの接触に用いられており、前記二つの押圧部１３１の隣り合う片側の側縁はそれぞれ定位片１３１ａを有しており、前記凸縁部１１１の溝孔１１３への挿設に用いられ、前記各押圧部１３１前端の上下移動を制限している。
【００２１】
図２に示すように、前記反射装置３０は、前記下部ケース体１２上に水平に設置されており、前記上ケース体１１と前記下部ケース体１２とを結合させた後、前記反射装置３０はちょうど前記ケース体１０内に収容される。前記底板３１の前記座標検知ユニット２４と前記処理ユニット２５に相対する位置は上向きに隆起する形状になっており、前記座標検知ユニット２４と前記処理ユニット２５の形状と適合する形状になっており、前記底板３１を結合固定する時、前記下部ケース体１２に更に接近させることができ、前記底板の前記ホイール２２と前記二つの微動スイッチ２３に相対の位置にはそれぞれ第一開孔３３と二つの第二開孔３４が設けられており、前記ホイールと前記二つの微動スイッチ２３を底板３１上から突出させるのに用いられ、三つの貫通孔３５と複数の固定凸塊３６は前記底板３１上の予め定められた位置に設置されている。
【００２２】
図３に示すように、上述の前記底板３１の上部表面は、鍍金処理によって反射面が形成されており、前記反射面は複数の凹凸を有する凸紋構造３１１となっており、前記発光装置４０が光線を前記底板３１上に投射する時、光線は分散され、前記底板３０はむらなく均一に発光する。
【００２３】
前記発光装置４０は、光源４１と、導光管４２とによって構成されており、光源４１と導光管４２を設置する数量や位置は実際の需要に応じて調整をすることができる。前記各光源４１は、ＬＥＤであり、それらの脚部は前記各貫通孔３５を貫通しており、前記回路板２１上に電気接続されており、前記光源４１は前記ケース体１０の前方を向いており、前記各導光管４２は、それぞれ各光源４１に嵌設されており、その側面は前記底板３１上の固定凸塊３６と接続されており、前記各導光管４２は前記底板３１と平行であり、前記各導光管４２は透光性を有する材料によって製造されており、その前端は密封されており、各導光管４２の光の分散作用によって、各光源４１はむらなく均一に各導光管４２の周面から光線を放出し、光を一点に集中させることがない。
【００２４】
前記各光源４１が光線を放出する時、前記導光管４２の周面を通じて光線が放出され、反射装置の底板３１によって反射、散光が行われ、側壁３２に集中した後、前記上部ケース体１１はむらなく均一に発光することができる（図４を参照）。
【００２５】
図５は、本考案による第二の好適な実施形態が提供するむらなく均一に発光するコンピュータ周辺装置であり、その構造は第一の好適な実施形態と大体同じであり、ケース体５０によって構成されており、前記ケース体５０は、上部ケース体５１と、下部ケース体５２と、押圧板５３とが結合して構成されており、前記上部ケース体５１、下部ケース体５２の間には収容空間が形成されており、前記押圧板５３は前記上部ケース体５１上に設置されている。電子回路装置は、回路板６１によって構成されており、前記回路板６１上には透明ホイール６２と、二つの微動スイッチ６３と、座標検知ユニット６４と、処理ユニット６５が設置されている。反射装置７０は、底板７１と、底板７１を一周する側壁７２とによって構成されており、前記底板７１の上部表面は鍍金処理により滑らかな反射面が形成されており、発光装置８０は、前記底板７１上に設置されており、前記底板７１の反射効果によって光線方向を変化させる。
【００２６】
前記上部ケース体５１上は、前方に伸びる凸縁部５１１を有しており、前記凸縁部５１１の前段は露出孔５１２を有しており、それによって透明ホイール６２は外部に露出しており、前記凸縁部５１１の前段の両側面はそれぞれ溝孔５１３を有しており、前記各溝孔５１３は予め定められた幅と高さを有しており、又、前記凸縁部５１１は透光性を有する材質によって構成されており、前記凸縁部５１１の両側はそれぞれ環状の切溝を有しており、後方から前方へ弾性端部が形成されており、前記凸縁部５１１の両側にはそれぞれ押圧部５１４が形成されている。
【００２７】
前記下部ケース体５２は、右側板５２１、左側板５２１を有しており、前記右側板５２１、左側板５２１は透光性を有する材質によって構成されている。
【００２８】
前記押圧板５３は、前記上部ケース体５１の頂面に設置されており、前記押圧板５３は湾曲面を有する滑らかな薄板片であり、ちょうど上部ケース体５１の頂面と重なり合い、前記押圧板５３は二つのお互いに平行な押圧部５３１を有しており、それぞれ前記凸縁部５１１の両側に位置しており、前記二つの押圧部５１４への接触に用いられており、前記二つの押圧部５３１の隣り合う片側の側縁はそれぞれ定位片５３１ａを有しており、前記凸縁部５１１の溝孔５１３への挿設に用いられ、前記各押圧部５３１前端の上下移動を制限しており、その他、前記押圧板５３は非透明であり、光線は貫通しない。
【００２９】
図６に示すように、前記底板７１は、第一の実施形態の底板３１と近似しており、前記座標検知ユニット６４と前記処理ユニット６５に相対する位置は上向きに隆起する形状になっており、前記透明ホイール６２と前記二つの微動スイッチ６３に対応する位置には第一開孔７３、二つの第二開孔７４が形成されている。前記底板７１の上向きに隆起する部位は、複数の水平に突出した固定凸塊７５を有しており、前記底板７１の両側には二つの設置溝孔７６が開設されており、前記底板７１の前端には設置孔７７が開設されている。
【００３０】
前記発光装置８０は、第一光源８１と、二つの第二光源８２と、ランプカバー８３と、二つの導光管８４とによって構成されている。前記第一光源８１は、前記底板７１の設置孔７７に設置されており、前記回路版６１と電気接続されており、前記底板７１上において発光し、前記ランプカバー８３は前記設置孔７７上に被せられており、開口部は前記底板７１の後方を向いており、前記第一光源８１の放出する光線は前記底板７１の後方に向けて前記透明ホイール６２上を投射し、前記二つの導光管８４は、側縁が前記各固定凸塊７５と接続されており、それぞれ水平の状態で前記各設置溝孔７６上に設置されており、前記二つの第二光源が発光した時、前記底板７１上方、下方を同時に投射できるようになっている（図６を参照）。
【００３１】
各光源８１、８２が発光した時、前記第一光源８１からの光線は、前記ランプカバー８３によって前記透明ホイール６２と前記上部カバー体５１の凸縁部５１１前端に導びかれ、前記透明ホイール６２と前記凸縁部５１１は、図７に示すように発光状態を呈し、前記二つの第二光源８２から放出される光線は、一部分が前記底板７１の上部表面を通過して前記上部ケース体５１に反射し、前記凸縁部５１１と前記透明ホイール６２から放出され、前記凸縁部５１１と前記透明ホイール６２の輝度を強化し、前記二つの第二光源８２から放出される光線の一部分は、前記二つの設置溝孔７６の側壁７２と下部ケース体５２の側板５２１を通過し、むらなく均一に放出され、図８に示すように、前記下部ケース体５２の両側も発光状態を呈すことができる。
【００３２】
本考案の好適な実施形態を説明したが、上記の説明は本考案を制限するものではなく、本技術に熟知する者による、本考案の主旨と範囲を逸脱しない変更や修飾等は当然行うことが可能であり、本考案の保護範囲は本明細書に付属する実用新案登録請求の範囲を基準とする。
【図面の簡単な説明】
【００３３】
【図１】本考案による第一の好適な実施形態を示す分解図である。
【図２】本考案による第一の好適な実施形態における一部の斜視図であり、下部ケース体、反射装置、発光装置を示す。
【図３】図２の断面図であり、発光装置と底板との相対関係を示す。
【図４】本考案による第一の好適な実施形態を示す斜視図である。
【図５】本考案による第二の好適な実施形態を示す分解図である。
【図６】本考案による第二の好適な実施形態における一部の斜視図であり、下部ケース体、反射装置、発光装置を示す。
【図７】図６の断面図であり、第一光源と、ランプカバーと、透明ホイールとの相対関係を示す。
【図８】本考案による第二の好適な実施形態を示す斜視図である。
【符号の説明】
【００３４】
１０      ケース体
１１      上部ケース体
１１１    凸縁部
１１２    露出孔
１１３    溝孔
１１４    押圧部
１１４ａ  凸塊
１２      下部ケース体
１３      押圧板
１３１    押圧部
１３１ａ  定位片
２１      回路板
２２      ホイール
２３      微動スイッチ
２４      座標検知ユニット
２５      処理ユニット
３０      反射装置
３１      底板
３１１    凸紋構造
３２      側壁
３３      第一開孔
３４      第二開孔
３５      貫通孔
３６      固定凸塊
４０      発光装置
４１      光源
４２      導光管
５０      ケース体
５１      上部ケース体
５１１    凸縁部
５１２    露出孔
５１３    溝孔
５１４    押圧部
５１４ａ  凸塊
５２      下部ケース体
５２１    側板
５３      押圧板
５３１    押圧部
５３１ａ  定位片
６１      回路板
６２      透明ホイール
６３      微動スイッチ
６４      座標検知ユニット
６５      処理ユニット
７０      反射装置
７１      底板
７２      側壁
７３      第一開孔
７４      第二開孔
７５      固定凸塊
７６      設置溝孔
７７      設置孔
８０      発光装置
８１      第一光源
８２      第二光源
８３      ランプカバー
８４      導光管
【図１】
0003108946.tif 000003
【図２】
0003108946.tif 000004
【図３】
0003108946.tif 000005
【図４】
0003108946.tif 000006
【図５】
0003108946.tif 000007
【図６】
0003108946.tif 000008
【図７】
0003108946.tif 000009
【図８】
0003108946.tif 000010